(57)【要約】【目的】  セメントに混合使用する水道水等の上水をポンプ、ミキサー、遠赤外線及び強力マグネットによって流水処理するための水硬性セメント用の混練水の製造方法。【構成】  水道水、地下水等の上水を貯留供給する水源部よりの流水は、最初にポンプ部を通り、次に遠赤外線発生部に至り、その後、強力マグネット部で処理された後に、ミキサー部を経て、混練水を製造する方法を特徴としている。更に、遠赤外線発生部又は強力マグネット部を各々削除した工程を経て混練水を製造することを特徴としている。【特許請求の範囲】
【請求項１】
上水道水、工業用水、井戸水、河川水、地下水、涌水及び生コンクリートを洗浄により発生するスラッジ水、スラッジ水を澄ました上澄水を貯留供給する水源部（１）を有し、該水源部（１）よりの流水管の途中にエアーを注入し、その後、ポンプ部（２）内で水を加圧した後、ミキサー部（３）によって５０ミクロン以下の気泡を発生させて微細泡水を製造することを特徴とした水硬性セメント用の混練水の製造方法。
【請求項２】
請求項１における、ポンプ部（２）とミキサー部（３）の間を通過する流水は、流水管（１０）を介在した後、遠赤外線発生部（６）の内部を通過することを特徴とする請求項１の水硬性セメント用の混練水の製造方法。
【請求項３】
請求項１における、ポンプ部（２）とミキサー部（３）の間を通過する流水は、流水管（１０）を介在した後、外周に複数のマグネットを組合せた強力マグネット部（７）の内部を通過することを特徴とする請求項１の水硬性セメント用の混練水の製造方法。
【請求項４】
請求項１における、ポンプ部（２）とミキサー部（３）の間を通過する流水は、流水管（１０）を介在した後、遠赤外線発生部（６）と強力マグネット部（７）の内部を通過することを特徴とする請求項１の水硬性セメント用の混練水の製造方法。
【発明の詳細な説明】
【技術分野】
【０００１】  本発明は、コンクリート製品、並びにコンクリート構造物を作る際、水硬性セメントに使用する水道水等の水をポンプ、ミキサー、遠赤外線及び強力マグネットによって処理することによる水硬性セメント用の混練水の製造方法に関するものである。
【背景技術】
【０００２】  一般にこの種の水硬性セメントを使用してコンクリートを作る場合の水の役割は、硬化前のコンクリートに流動性を与える事と、セメントに水和反応を起こし硬化させることである。しかし、その水には基準が無く、上水道水、工業用水、井戸水、河川水、地下水、湧水及び生コンクリートを洗浄により発生するスラッジ水、スラッジ水を澄ました上澄水等、様々な水が混練水として使用されてきた。そこで、一応の水質基準としては、セメントの硬化に悪影響を及ぼす成分を含んでいないことが必要である。
そこで、従来は水、セメントの主原料の他に製品の成形性の向上、品質を良好とするために各々の混練材料を用いるものであるが、使用目的を達成するために適応したものは、多数の種類の中から選択しなければならず、大変に不便であると共に、使用目的に応じて用法、用量が適当であるかを調査、検討しなければならない面倒な問題点がある。
【発明の開示】
【発明が解決しようとする課題】
【０００３】  本発明は上記従来の問題点を解決するものであって、その目的とする所は、混合材料のような固形物、或いは流体物を使用することなく、上水よりなる混練水を使用し、従来のものより凝結硬化の促進、凍結融解抵抗の向上、セメント量の節約、流動性の向上及び作業性の改善等を充分に達成することを容易とした水硬性セメント用の混練水の製造方法を提供しようとするものである。
【課題を解決するための手段】
【０００４】  上記目的を達成するために、本発明の混練水の製造方法においては、水道水、地下水等の水を貯留供給する水源部を設け、その水源部より流水の途中にエアーを注入し、その後、ポンプ部を通過し加圧された水はミキサー部によって５０ミクロン以下の微細な気泡を含む混練水を製造するものである。
また、ポンプ部とミキサー部との中間に養生時間を短縮するための遠赤外線発生部の内部を通過させて混練水を製造するものである。
さらに、ポンプ部とミキサー部との間に流水管を介在して外周にマグネットを巻着し、磁力の作用より通過水を細分化及び帯電させる強力マグネット部を通過させて混練水を製造するものである。
また、上水の水源部よりポンプ部とミキサー部との間に流水管を各々介在して、乾燥硬化を高めるための遠赤外線発生部を通過し、その通過水を細分化及び帯電させるための強力マグネット部を設置し、その通過後に超微細泡に砕くミキサー部によって完成された混練水を製造するものである。
【発明の効果】
【０００５】  本発明は、以上説明したように構成されているので、以下に記載されるような効果を奏する。
従来この種の水硬性セメントを使用して作られるコンクリートに使用する上水は、成形品の向上及び品質を良好とするためには、各種の混練材料を使用目的、及び用量等を検討する面倒な手間と時間が係るものである。
然し、本発明によれば、上記のような、混練材料が使用目的に応じて適応するか、用法、用量が適当かどうかの検討を必要とする事なく、或いは使用する事なく、水である水源部より流水の通過によって機能混練水を容易に製造でき、この混練水によってセメントが硬化促進され、セメントの節約、流動性の向上、耐久性の向上及び作業性を充分に達成できる効果がある。
そして、水源部よりの途中で充分にエアーを注入し、ポンプ部で水を加圧し、ミキサー部を通過し、超微細な５０ミクロン以下の気泡を発生させ、セメントとの結合を安定緻密として硬化を容易に促進する効果がある。
さらに、本発明は、ポンプ部とミキサー部との間に流水管を介在して遠赤外線発生部を通過して混練水を完成製造したことにより、赤外線の放射エネルギーと混練されたセメントの乾燥力を著しく向上し、従来にない養生時間を短縮すると云う優れた効果がある。
また、ポンプ部とミキサー部との間に強力マグネット部の内部を通過した混練水によれば、磁石の作用により、磁石の磁束を利用して構成を細分化し、高度の均一性を保持して従来の配合より強度を向上させる効果がある。
さらに、本発明によれば、ポンプ部とミキサー部との間に流水管を介して遠赤外線発生部と強力マグネット部を通過したことにより、水源部の上水よりなる混練水によれば、従来の配合より強度の向上、セメント量の低減、流動性の向上、凍結融解抵抗の向上、コンクリート内の空気量の低減となる効果、及び養生時間を短縮できる等の多大な効果もある。
【発明を実施するための最良の形態】
【０００６】  上記のように構成された水硬性セメント用の混練水の製造方法によれば、図に示す如く水道水、地下水等の水の水源部よりの流水は、ポンプ部を作動通過させ、遠赤外発生部の内部を通り、外周よりの強力マグネット部の磁束の作用で細分化され、その後ミキサーにより５０ミクロン以下の微細な気泡を発生させて混練水を完成させるものである。またポンプ部とミキサー部との通過の間に養生時間を短縮するための遠赤外線発生部を設けたり又は強力マグネット部を通過させたりすることも適宜の源水による違い等の条件によって変更する事も可能となり、各々の製造工程でも、充分に効率の向上、所期の効果を達成できるものである。
【実施例１】
【０００７】  次に、実施例について図面を参照して説明すると、図１において、符号（１）は、水源部を示し、この水源部（１）には、上水道水、工業用水、井戸水、河川水、地下水及び涌水等の上水を貯留供給する水源である。
該水源部（１）よりの流水管（１０）の途中に自給エアー又はエアーポンプ（８）を設け、エアーを注入しながら次に設置したポンプ部（２）に流水させ、電源（９）により回転作動する。該ポンプ部（２）によって流水の速度を徐々に低下させて効率を良好とする。該ポンプ部（２）内の水は、加圧された後、該流水管（１０）を通りミキサー部（３）に接続して導水される。該ミキサー部（３）は、流入した水を５０ミクロン以下の超微細な気泡に砕いて混練し流水管（１０）を経て混練水（５）となりセメントの混練水に供するものである。なお、該ミキサー部（３）は、分散粒子径を５０ミクロン以下までの最小まで可能となる。
【実施例２】
【０００８】  図２に示される実施例では、水源部（１）より自給エアー又はエアーポンプ（８）の作動で空気を注入し、ポンプ部（２）を流水し、次いで該ミキサー部（３）に至る途中に乾燥の役目を充分に果たすための赤外線を有す物質を内部に設けた遠赤外線発生部（６）を配設し、該遠赤外線発生部（６）の内部を通過させ流水させる。次に装設されているミキサー部（３）に供給し、該ミキサー部（３）に流入された流水は、前記同様に該ミキサー部（３）によって粒子が５０ミクロン以下の超微細な気泡に砕かれ圧力水となって流水管（１０）を流水して混練水（５）が貯造される。該混練水（５）をセメント用の混練水として使用するものである。
【実施例３】
【０００９】  図３に示される実施例では、水源部（１）より作動したポンプ部（２）により水の速度を徐々に低下減圧して効率を向上させた流水を流水管（１０）を経て該ミキサー部（３）との中間に強力マグネット部（７）を装設する。該強力マグネット部（７）は、該流水管（１０）の外周に磁石の磁束を利用する複数個のマグネットを組立てて装設され該強力マグネット部（７）の内部を通過して該ミキサー部（３）に浸入し、その後、該混練水（５）は、貯造されるものである。そしてセメントの混練水として使用する。
【実施例４】
【００１０】  次に、図４に示される実施例では、上水等の各種の水源部（１）よりの流水は、流水管（１０）の途中に設けた自給エアー又はエアーポンプ（８）より空気を注入し、電源（９）で作動している次のポンプ部（２）に至り、該ポンプ部（２）により内部の流水は、水の速度を低下させて効率を良くし、次に装設した遠赤外線発生部（６）に至り、その内部を通過中に赤外線の放射エネルギーを受けて流水し、該遠赤外線発生部（６）より流水管（１０）を経て強力マグネット部（７）に至る。該強力マグネット部（７）は、流水管（１０）等の流水する外周に複数の相対向する磁石の磁束を利用するように数個対設してある。
該強力マグネット部（７）によって細分化された流水は、流水管（１０）を介して次に装設されているミキサー部（３）に至る。その後、該混練水（５）は貯造され、セメント用の混練水として使用するものである。
【図面の簡単な説明】
【００１１】
【図１】  本発明のセメント配合用の混練水の製造工程を示す配置図である。
【図２】  同じく本発明の遠赤外線発生部の内部を通過する全体の製造工程を示す配置図である。
【図３】  本発明の外周に設けた強力マグネット部を通過させた全体の製造工程を示す配置図である。
【図４】  同じく本発明の工程中に遠赤外線発生部と強力マグネット部を通過させた全体の製造工程を示す配置図である。
【符号の説明】
【００１２】  １          水源部
２          ポンプ部
３          ミキサー部
５          混練水
６          遠赤外線発生部
７          強力マグネット部
８          自給エアー又はエアーポンプ
９          電源
１０          流水管
【図１】
2007261242.tif 000002
【図２】
2007261242.tif 000003
【図３】
2007261242.tif 000004
【図４】
2007261242.tif 000005